(57)【要約】【課題】映像投射位置を容易に調整することができるプロジェクターを提供する。【解決手段】プロジェクターの下に前後左右に移動することができる台を備えたプロジェクター台を設け、台の動きに合わせてプロジェクターの位置を変えることでプロジェクターから投影される映像の投影位置の調整を簡単に行うことができる。【選択図】図１
2006053491.tif 000002
【特許請求の範囲】
【請求項１】
プロジェクターを搭載するプロジェクター台と、互いに交差する二方向に前記プロジェクター台を移動可能なスライド機構と、を備えるプロジェクタースライド台において、
前記プロジェクター台は、プロジェクターの投影角を調整可能な傾斜機構を備え、
前記スライド機構は、前記二方向の内の一方向の移動機構として、ボールと、円孔にて前記ボールを回転可能に保持する移動体と、前記ボールを往復移動自在に案内する溝部を有するガイドレールとを備え、前記移動体には前記プロジェクター台を支持する部材が他方向へ移動可能に支持されていることを特徴とするプロジェクタースライド台。
【請求項２】
前記移動体は、前記二方向の内の他方向に沿ったガイド溝部を有し、
前記スライド機構は、前記ガイド溝部に沿って移動自在であると共に、前記プロジェクター台を支持する部材としてスライダーを有し、
前記スライダーは、前記ガイド溝部の断面形状と同形の板材をその進行方向両側に有するとともに、前記板材の端面と前記溝部の内側面とが摺動することによって往復移動可能となっていることを特徴とする請求項１に記載のプロジェクタースライド台。
【請求項３】
前記傾斜機構は、プロジェクターの載置台が、ネジの回転に応じて傾斜角度が可変となるように構成されると共に、前記プロジェクターの落下を防止するストッパーを有することを特徴とする請求項１または請求項２に記載のプロジェクタースライド台。
【発明の詳細な説明】
【技術分野】
【０００１】
本発明は、プロジェクタースライド台に関し、特に、プロジェクター移動のためのプロジェクタースライド台に関する。
【背景技術】
【０００２】
従来、プロジェクターによって投影された画像をスクリーン等の被投影体上で正確に結像させるために、該プロジェクターの位置設定が行われている。このようなプロジェクターの位置設定を行うことを目的として、例えば、プロジェクターを搭載したテーブルを前後に移動可能とした構成（例えば、特許文献１参照）や、プロジェクターを台車に搭載し、この台車を天井クレーンとモータ駆動とにより前後左右に移動可能とした方法（例えば、特許文献２参照）が開発されている。また、プロジェクターを搭載するベース台に複数の高さ調整器を設けることにより、上下左右に傾斜可能としたプロジェクター台（例えば、特許文献３参照）などが開発されている。
【特許文献１】特開平７−３３３７２７号公報
【特許文献２】特開平１１−２７８３６４号公報
【特許文献３】特開２０００−２６７１９１号公報
【発明の開示】
【発明が解決しようとする課題】
【０００３】
しかしながら、上記特許文献１に挙げる技術では、プロジェクターを搭載したテーブルが前後に移動することはできるが左右には移動できない。また、上記特許文献２に示される技術は、プロジェクターを搭載する台車が前後左右に移動することはできるが、台車には複数台のプロジェクターが搭載される、造船工事用の大型なものである。このため大型の駆動源が必要となるという不都合があった。また、上記特許文献３に示される技術は、プロジェクターのベース台を前後に移動可能であり、揺動も可能であるが左右に移動することができないため、プロジェクターの位置決定を簡易且つ自在に行うことができないという問題がある。
【０００４】
本発明は、ピント調節のための設置位置の移動調整を、駆動源を要することなく簡易な構造を用いて容易に行えるプロジェクタースライド台を提供することをその目的とする。
【課題を解決するための手段】
【０００５】
前記課題を解決するために、請求項１に記載の発明は、プロジェクターを搭載するプロジェクター台と、互いに交差する二方向に前記プロジェクター台を移動可能なスライド機構と、を備えるプロジェクタースライド台において、前記プロジェクター台は、プロジェクターの投影角を調整可能な傾斜機構を備え、前記スライド機構は、前記二方向の内の一方向の移動機構として、ボールと、円孔にて前記ボールを回転可能に保持する移動体と、前記ボールを往復移動自在に案内する溝部を有するガイドレールとを備え、前記移動体には前記プロジェクター台を支持する部材が他方向へ移動可能に支持されていることを特徴とする。
【０００６】
請求項１に記載の発明では、プロジェクターの少なくとも一方向への移動が、移動体に設けられた円孔とボールという簡易な構成で実現する。また、ボールを用いることで移動体の移動をスムーズに行うことができる。また、前記プロジェクター台に搭載されるプロジェクターから投影される光の投影角は、前記プロジェクター台に設けられた傾斜機構を操作することにより調整される。
【０００７】
請求項２に記載の発明は、請求項１に記載のプロジェクタースライド台において、前記
移動体は、前記二方向の内の他方向に沿ったガイド溝部を有し、前記スライド機構は、前記ガイド溝部に沿って移動自在であると共に、前記プロジェクター台を支持する部材としてスライダーを有し、前記スライダーは、前記ガイド溝部の断面形状と同形の板材をその進行方向両側に有するとともに、前記板材の端面と前記溝部の内側面とが摺動することによって往復移動可能となっていることを特徴とする
請求項２に記載の発明では、請求項１に記載のプロジェクタースライド台において、前記スライド機構は、スライダーが、その進行方向の両側に前記ガイド溝部の断面形状と同形の板材を有するとともに、前記板材の端面と前記ガイド溝部の内側面とが摺動するので、摺接する面積の低減を図り、プロジェクターの移動の円滑化が図られる。
【０００８】
請求項３に記載の発明は、請求項１または請求項２に記載の発明において、前記傾斜機構は、プロジェクターの載置台が、ネジの回転に応じて傾斜角度が可変となるように構成されると共に、前記プロジェクターの落下を防止するストッパーを有することを特徴とする。
【０００９】
請求項３に記載の発明では、請求項１または請求項２に記載の発明において、前記傾斜機構として備えられるプロジェクターの載置台は、ネジの回転に応じて傾斜角度が調整される。また、前記載置台には、前記プロジェクターの落下を防止するストッパーが設けられ、この載置台に搭載されるプロジェクターは、前記ストッパーによって落下が防止される。
【発明の効果】
【００１０】
請求項１に記載の発明によれば、前記プロジェクタースライド台は、ボールと円孔という構成により、駆動源に頼ることなくプロジェクターのスムーズな移動を簡易な構造で実現可能である上、該プロジェクタースライド台に備えられたプロジェクター台に備えられた傾斜機構により、プロジェクターを、該プロジェクターから投影される画像がスクリーン上で最も好適に結像される位置に容易に移動・設置することができる。
【００１１】
請求項２に記載の発明によれば、請求項１に記載のプロジェクタースライド台において、端面でガイド溝部と摺接する板材を有する前記スライダーを用いるので、プロジェクターの移動を円滑に行うことが可能となると共に、簡易な構造で往復移動可能となる。
【００１２】
請求項３に記載の発明によれば、請求項１または請求項２に記載の発明において、前記傾斜機構は、プロジェクターの載置台がネジの回転に応じて傾斜角度が可変となって構成されているため、ネジの可動範囲内において任意の傾斜角度に調整することができる。また、前記傾斜機構はストッパーを有するため、前記載置台に搭載されるプロジェクターの落下を効果的に防止することができる。
【発明を実施するための最良の形態】
【００１３】
以下、本発明の実施形態について図面を参照して詳しく説明する。なお、本実施形態において、プロジェクターが画像を投影する方向をＸ軸方向（前後方向）とし、それと直交する一の方向をＹ軸方向（左右方向）と定義する。
【００１４】
図１に示すように、本実施形態に係るプロジェクタースライド台１は、プロジェクターＰ（図２参照）を搭載するプロジェクター台２０と、プロジェクター台２０を支持するとともに、このプロジェクター台２０をＹ軸方向（左右方向）に移動自在とする左右移動機構３０と、プロジェクター台２０をＸ軸方向（前後方向）に移動自在とする前後移動機構４０とを備えている。
【００１５】
プロジェクター台２０には、プロジェクターＰを搭載する載置台２１と、載置台２１の傾斜角を可変とすることにより、プロジェクターＰの投影角を調整可能とする傾斜機構５０とが設けられている。
【００１６】
本実施形態における傾斜機構５０として、図２（ａ）に示すように、載置台２１の下方側に該載置台２１の下面と対向する支持板２２が配設されている。支持板２２には係合部２７が配設されており、この係合部２７と、後述するスライダー３４に設けられた凸部３６とが係合することにより支持板２２とスライダー３４とが一体的に移動可能となっている。
【００１７】
なお、傾斜機構５０としては、例えば、図２（ｂ）に示すように、手動で回す蝶ネジ２３を設け、載置面である載置台２１の上側面の傾斜角を手動で適宜調節してから蝶ネジ２３で締結する構成としても良い。また、プロジェクター台２０に前述した傾斜機構５０を取り付けた場合、本実施形態と同様に載置台２１が傾斜することによるプロジェクターの落下を防止するストッパー２６を設ける構成としてもよい。
【００１８】
載置台２１の一端及び支持板２２の一端は、ヒンジ２４を介してＹ軸方向に沿った軸を中心に回動自在に連結されている。また、支持板２２の他端側にはネジ穴２５が穿設されており、このネジ穴２５を介して該支持板２２を下方から上方へ貫通するネジ２３が設けられている。そして、ネジ２３が回動されて支持板２２を基準面として上下動されることにより、一端がヒンジ２４によって回動自在に連結されるとともに、ネジ２３の上端部に当接する載置台２１の傾斜角が調整可能となり、傾斜機構５０として機能するようになっている。
【００１９】
また、載置台２１の一部であって、該載置台２１の傾斜時における下端部側の一側には、この載置台２１に搭載されるプロジェクターＰの後端部に当接することにより、プロジェクターＰを支持することにより、該載置台２１が傾斜した時にプロジェクターＰが後方へ滑り落ちることを防止可能なストッパー２６が設けられている。
【００２０】
なお、ストッパー２６は、本実施形態に限定されるものではなく、例えば、プロジェクターＰの投影方向以外の方向に、前述したストッパー２６と同様のストッパー部材を設ける構成としてもよい。このようにすれば、前述した左右移動機構３０や、前後移動機構４０によって前後左右に移動された場合であっても、プロジェクターＰの落下を防止することができる。
【００２１】
左右移動機構３０は、プロジェクター台２０を支持すると共にプロジェクター台２０をＹ軸方向に移動可能とする移動機構である。本実施形態における左右移動機構３０は、図１及び図３に示すように、Ｙ軸方向に延在されるとともにガイド溝部３２を有する長尺状の移動体３１と、ガイド溝部３２に沿ってＹ方向に移動自在であるとともに前述したプロジェクター台２０を支持するスライダー３４とを備えている。
【００２２】
移動体３１には、前述したガイド溝部３２が設けられている他、該移動体３１の両端部近傍には、前後移動機構４０を構成する略円形の孔部３３がそれぞれ移動体３１を上下に貫通するように穿設されている。
【００２３】
ガイド溝部３２は、図１に示すように、移動体３１の長手方向に平行に設けられた溝部であり、上端が開放された開口部を有している。
【００２４】
スライダー３４は、支持部材３７と、この支持部材３７の上端に配設されるとともに前述したプロジェクター台２０に係合されることによりプロジェクター台２０を支持する凸部３６と、前記ガイド溝部３２と同形の断面形状を有するとともに支持部材３７の移動方向の両端部に配設されたフランジ３５とを備えている。
【００２５】
なお、本実施形態におけるガイド溝部３２は、簡易な構造を採用するために上端部が全て開放された開口部を有する構成としたが、必ずしもこれに限定されるものではなく、例えば、移動体の上端をＸ方向における開口幅を狭くして凸部３６のみを突出させてもよい。このようにすれば、プロジェクター台２０の移動に伴ってスライダー３４に上向きの力が作用した場合であっても、ガイド溝部３２からスライダー３４が分離されることがない。
【００２６】
また、フランジ３５は、その縁部がガイド溝部３２の内側面と摺動することによりＹ軸方向に移動可能となっており、このフランジ３５の厚さｔを適宜調整することにより、摺接面積が調整され、スライダー３４とガイド溝部３２の内側面に作用される摩擦抵抗を調整することができる。なお、ガイド溝部３２の内側面には、例えば、グリスやオイル等の潤滑油を塗布するなどしてもよい。
【００２７】
前後移動機構４０は、４辺がそれぞれＸ軸方向、Ｙ軸方向に延在された四角形の枠状に形成されたベース４１と、ベース４１のＸ軸方向（前後方向）に延在される２辺に配設されるとともに、後述するボール４４を前後方向に案内可能に設けられた一対のガイドレール４２と、上述した移動体３１の両端部近傍に設けられた孔部３３と、これらの孔部３３内に回転自在に保持されるボール４４と、を有する。
【００２８】
孔部３３は、図１、図４及び図５に示すように、移動体３１の両端部近傍において該移動体３１を上下に貫通している。孔部３３の内径は、ボール４４の外径より若干大きく設定されており、且つ、上下に渡って一定の内径となっている。従って、孔部３３の内側にはボール４４が、孔部３３の内側において回転可能に保持されている。
【００２９】
ボール４４は、ガイドレール４２の長手方向に延在されるとともに断面形状が円弧状に形成されたガイド溝４３の内側において回転する。
【００３０】
ガイドレール４２は、本実施形態では図１に示すように、全体が略四角形状に形成されたベース４１の互いに対向する一対の辺に設けられている。この２本のガイドレール４２は、共に略平行となってＸ軸方向に延在されるとともに、それぞれのガイドレール４２の両側面において長手方向に開いた開口部を有する長尺状のものであり、内側の一部には前述したボール４４をＸ軸方向に案内可能なガイド溝４３が形成されている。
【００３１】
そして、図１に示すように、移動体３１の両端部において孔部３３の内部に回転または摺動可能に保持されたボール４４の上部および下部が、移動体３１の上面および下面よりも僅かに突出されるとともに、互いに略平行に設けられた一対のガイドレール４２に延在されたガイド溝４３内でボール４４が回転する。これにより、移動体３１を介してプロジェクター台２０は、X軸方向（前後方向）にも移動可能となって構成されている。
【００３２】
なお、本実施形態においては、孔部３３を円形としたが、本発明は必ずしもこれに限定されるものではなく、例えば、レール部４２に沿って回転移動される環状体を回動可能に保持する略長方形、或は、略楕円形状の孔部となるような構成としてもよい。
【００３３】
また、ガイド溝４３の内側面には、例えば、グリスやオイルなどの潤滑油を塗布するようにしてもよい。
【００３４】
次に、本実施形態に係るプロジェクタースライド台１の作用について詳しく述べる。なお、本実施形態に係るプロジェクタースライド台１は、図１において略中央部に示されるプロジェクター台２０の載置台２１上に、プロジェクターＰを搭載して使用される。
【００３５】
まず、プロジェクター台２０は、該プロジェクター台２０に備えられた傾斜機構５０によって載置台２１の傾斜角が自在に調整できるようになっており、図２（ａ）に示すように、ヒンジ２４を支点として載置台２１が、ネジ２３の回転による該ネジ２３の上下動に伴って投影方向前側の端部が上下動されて、載置面を有する載置台２１が所望の角度に調整される。
【００３６】
次に、本実施形態に係るプロジェクタースライド台１の左右移動に関する動作について詳しく説明する。
【００３７】
プロジェクター台２０は、スライダー３４を構成する支持部材３７の上面に設けられた凸部３６を介して該スライダー３４と係合されることにより、スライダー３４と一体的にＹ軸方向（すなわち左右方向）に自在に移動される。
【００３８】
より詳しくは、左右移動機構３０は、移動体３１の長尺方向に延在されるとともに該左右移動機構３０を構成する溝部３２の内側面と、スライダー３４を構成するフランジ３５の縁部とが摺動されることにより、該スライダー３４が溝部３２に沿って左右方向に自在に移動可能となって機能するものである。
【００３９】
ここで、スライダー３４の左右方向（Ｙ軸方向）への移動性に関しては、フランジ３５の厚さｔを適宜選択して摩擦抵抗を調整することによって、或は、溝部３２の内側面に塗布可能なグリス等の潤滑材の粘度を適宜選択することにより調整することができる。
【００４０】
次に、本実施形態に係るプロジェクタースライド台１の前後移動に関する動作について詳しく説明する。
【００４１】
移動体３１は、前後移動機構４０により前後方向（Ｘ軸方向）に自在に移動される。
【００４２】
より詳しくは、移動体３１の両端部近傍に穿設された孔部３３には、ボール４４が回転自在に保持されている。
【００４３】
このボール４４は、図５に示すように、その上部および下部が移動体３１の上面および下面からそれぞれ僅かに突出されており、ガイドレール４２に設けられたガイド溝４３に沿って案内されることにより、前後方向（Ｘ軸方向）に自在に移動可能となるものである。
【００４４】
ここで、移動体３１の前後方向（Ｘ軸方向）への移動性に関しても、前述した左右移動機構３０の場合と同様に、ガイド溝４３の内側面に塗布可能なグリス等の潤滑材の粘度を適宜選択することにより調整することができる。
【００４５】
そして、図１に示すように、本実施形態に係るプロジェクタースライド台１におけるプロジェクター台２０は、左右移動機構３０と、前後移動機構４０とによって、前後左右方向にも移動可能となるものであり、さらには、前述した傾斜機構５０によって投射方向を上下に調整可能となって機能するものである。
【００４６】
以上のように、本実施形態に係るプロジェクタースライド台１によれば、ボール４４と円孔３３という構成により、簡易な構造で駆動源に頼ることなくプロジェクターのスムーズな移動を実現可能である上、該プロジェクタースライド台１に備えられたプロジェクター台２０に備えられた傾斜機構５０により、プロジェクターから投影される画像がスクリーン上で最も好適に結像される位置に容易に該プロジェクターを移動・設置することができる。
【００４７】
また、左右移動機構３０は、端面でガイド溝部３２と摺接する板材を有する前記スライダー３４を用いるので、プロジェクターの移動を円滑に行うことが可能となると共に、簡易な構造で往復移動可能となる。
【００４８】
さらにまた、傾斜機構５０は、プロジェクターの載置台２１がネジ２３の回転に応じて傾斜角度が可変となって構成されているため、ネジ２３の可動範囲内において任意の傾斜角度に調整することができる。また、前記傾斜機構５０はストッパーを有するため、前記載置台２１に搭載されるプロジェクターの落下を効果的に防止することができる。
【図面の簡単な説明】
【００４９】
【図１】本実施形態に係るプロジェクタースライド台１の全体構成を示す斜視図である。
【図２】図２（ａ）は本実施形態に係るプロジェクタースライド台１における傾斜機構の概略を示す側面図であり、図２（ｂ）は本実施形態に係るプロジェクタースライド台の他の例を示す側面図である。
【図３】本実施形態に係るプロジェクタースライド台１におけるスライダーの概略を示す斜視図である。
【図４】本実施形態に係るプロジェクタースライド台１における前後移動機構の概略を示す斜視図である。
【図５】本実施形態に係るプロジェクタースライド台１における前後移動機構の概略を示す断面図である。
【符号の説明】
【００５０】
１    プロジェクタースライド台
２０  プロジェクター台
２１  載置台
２２  支持板
３０  左右移動機構
３１  移動体
３２  溝部
３３  孔部
３４  スライダー
３５  フランジ
４０  前後移動機構
４１  ベース
４２  ガイドレール
４３  ガイド溝
４４  ボール
５０  傾斜機構
【図１】
2006053491.tif 000003
【図２】
2006053491.tif 000004
【図３】
2006053491.tif 000005
【図４】
2006053491.tif 000006
【図５】
2006053491.tif 000007